(57)【特許請求の範囲】
【請求項１】
フラッシュ弁装置１と、
このフラッシュ弁装置１の洗浄水で回転翼車２２を回転させて洗浄水の流量を計量する流量計２１と、
フラッシュ弁装置１に対して流出入する洗浄水をフラッシュ弁装置１の外部に送水し、かつ先端には洗浄水を噴射するためのシャワーノズル４６を有するシャワー用水管４４と、
燃焼を感知するセンサー５０と、
センサー５０の発する信号により開かれるシャワー用電磁弁４５と、
センサー５０からの信号が入力されるとともにシャワーノズル４６の放水制御を実行するシャワー用電磁弁４５に対して指示信号を出力する制御部６０と、を備えてトイレに設置される消火装置であって、
前記制御部６０は、燃焼を感知したセンサー５０の発する信号によりシャワー用電磁弁４５の開かれることでフラッシュ弁装置１に洗浄水が流入すると、この洗浄水によりフラッシュ弁装置１の回転翼車２２を回転することで前記流量計２１を作動させ、かつ前記シャワーノズル４６から噴出した水量を計算するとともに、噴出した水量が所定の量に達すると、前記シャワー用電磁弁４５を閉ざすことを特徴とする消火装置。
【請求項２】
前記制御部６０は、シャワー用電磁弁４５を作動させた後、所定時間経過後にセンサー５０から火災の旨の信号を入力した場合、前回放水よりも多量の水をシャワーノズル４６から放水するようシャワー用電磁弁４５を作動させる請求項１記載の消火装置。
【発明の詳細な説明】
【０００１】
【発明の属する技術分野】
本発明は、公衆トイレット等に設けたトイレットペーパー等の備品の消火装置に関する。
【０００２】
【従来の技術】
従来より公衆トイレ等に管理人が配置されることは殆どなかった。その為トイレットに設けた備品に、悪戯等により火が付けられることがあった。
【０００３】
そして、トイレ全体の消火を行うために、天井にスプリンクラー等の消火設備を設けたものはあるが、トイレの局所における備品消火のために、特別な消火装置を設けることは考えられていなかった。
【０００４】
【発明が解決しようとする課題】
本発明は、前記事項に鑑みなされたものであり、トイレット等の備品に火が付けられたとき、直ちに消火用水を噴出して火を消火し、次に消火用水の噴出を止める消火装置を、簡単に形成できるようにすることを課題とする。
【０００５】
【課題を解決するための手段】
本発明は、フラッシュ弁装置１と、このフラッシュ弁装置１の洗浄水で回転翼車２２を回転させて洗浄水の流量を計量する流量計２１と、フラッシュ弁装置１に対して流出入する洗浄水をフラッシュ弁装置１の外部に送水し、かつ先端には洗浄水を噴射するためのシャワーノズル４６を有するシャワー用水管４４と、燃焼を感知するセンサー５０と、センサー５０の発する信号により開かれるシャワー用電磁弁４５と、センサー５０からの信号が入力されるとともにシャワーノズル４６の放水制御を実行するシャワー用電磁弁４５に対して指示信号を出力する制御部６０と、を備えてトイレに設置される消火装置であって、前記制御部６０は、燃焼を感知したセンサー５０の発する信号によりシャワー用電磁弁４５の開かれることでフラッシュ弁装置１に洗浄水が流入すると、この洗浄水によりフラッシュ弁装置１の回転翼車２２を回転することで前記流量計２１を作動させ、かつ前記シャワーノズル４６から噴出した水量を計算するとともに、噴出した水量が所定の量に達すると、前記シャワー用電磁弁４５を閉ざすことを特徴とする消火装置とした。
【０００６】
また、前記制御部６０は、シャワー用電磁弁４５を作動させた後、所定時間経過後にセンサー５０から火災の旨の信号を入力した場合、前回放水よりも多量の水をシャワーノズル４６から放水するようシャワー用電磁弁４５を作動させるようにすると好適である。
【０００７】
【発明の実施の形態】
以下図に基づいて本発明の実施の形態の説明をする。図は本発明のトイレットペーパー等の消火装置の一実施の形態の説明用の図である。
【０００８】
まず、この実施の形態の図３に示すフラッシュ弁装置１について、その動作を中心に構成を説明する。すなわち、フラッシュ弁装置１は、電磁駆動部１３に入った指令により、パイロット弁１４が開くと、圧力室５内の水が、バイパス通路１５を通って、洗浄水の出口３に連通している低圧室７に排出され、圧力室５の水圧は低下する。
【０００９】
そうすると、スプリング９が圧縮されて主制御弁４が開き、主弁室６の水が低圧室７に排出され、主弁室６に連通している入口側円筒状部２８内の水圧が低下し、スプリング９１が圧縮されて逆止弁３０が開き、洗浄水の入口２９から洗浄水が入口側円筒状部２８内に流入する。
【００１０】
そして、洗浄水の入口２９から流入し、逆止弁３０を通った洗浄水は、回転翼車２２を回転させて流量計２１を回転させ、さらに、主弁室６から、開いた主制御弁４を通って低圧室７に入り、洗浄水の出口３から流出する。
【００１１】
そして、所定の量の洗浄水の通過を計量した流量計２１は、電磁駆動部１３に指令を出し、電磁駆動部１３がパイロット弁１４を閉ざす。そして、パイロット弁１４が閉ざされ、バイパス通路１５への水の排出が停止した圧力室５は、小径の第２バイパス通路８を通って、主弁室６から圧力室５に流入した水によって、水圧が上昇する。
【００１２】
そうすると、上昇した圧力室５の水圧により主制御弁４が閉ざされ、出口３からの洗浄水の流出は停止される。すると、入口側円筒状部２８内の水圧も上昇して、逆止弁３０も閉ざされるものである。
【００１３】
このように本発明のフラッシュ弁装置１は、前記洗浄水入口２９から、フラッシュ弁装置１内に洗浄水が流入し、洗浄水の出口３からフラッシュ弁装置１外に流出する洗浄水で、回転翼車２２を回転させて、流量計２１を作動させ、フラッシュ弁装置１から流出する洗浄水を計量して、フラッシュ弁装置１の開閉を制御する装置であるが、さらに、以下に記載する構成を備えている。
【００１４】
すなわち、本発明のフラッシュ弁装置１は、図１及び図４に示すように、トイレットペーパー５１等の燃焼を感知する熱センサー・煙センサー等のセンサー５０を備え、燃焼を感知したセンサー５０の発する信号により開かれるシャワー用電磁弁４５を備えている。
【００１５】
そして、シャワー用電磁弁４５の開かれることにより洗浄水の入口２９から水が流入し、この流入した水がフラッシュ弁装置１の回転翼車２２を回転させて流量計２１を回転させ、主弁室６に設けたシャワー用水入口４３よりシャワー用水管４４を経てシャワーノズル４６から消火用に噴出した水の量を計量できるように形成してある。
【００１６】
そして、シャワーノズル４６から噴出した水の量が、トイレットペーパー等の消火に必要な量（例えば１リットル）に達すると、シャワー用電磁弁４５が閉ざされるように形成してある。
【００１７】
これらの装置の関係を図４により説明すると、フラッシュ弁装置１は、流量計２１及びセンサー５０からの信号を入力インタフェースを介して入力するとともに、電磁駆動部１３及びシャワー用電磁弁４５に出力インタフェースを介して指示信号を出力する制御部６０を備えている。なお、制御部６０は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等を備えたＣＰＵ（Ｃｅｎｔｒａｌ  Ｐｒｏｃｅｓｓｉｎｇ  Ｕｎｉｔ）により構成されている。
【００１８】
以上のように本実施形態のフラッシュ弁装置１によれば、シャワーノズル４６側に連通するシャワー用水管４４は、流量計２１の後段である主弁室６に接続されているので、消火水の流量を正確に計量しながら放水する消火装置を、簡易な構成で安価に製造することができる。
【００１９】
なお、シャワーノズル４６は、複数のトイレットペーパーを収容可能なボックスの上部に設けてもよい。
また、一旦シャワーノズル４６から消火水を放水した後、さらにセンサー５０が火災を検知（所定温度以上を検知）した場合は、第一回目の消火水量より多めの消火水量（例えば２リットル）を再度放水するように構成するとよい。この場合、制御部６０内のタイマーを利用して、次のように制御するとよい。すなわち、制御部６０は、流量計２１からの信号により、１リットルの消火水がシャワーノズル４６から放水されたと判断したときにシャワー用電磁弁４５を閉鎖し、その後３０秒間経過した後、未だセンサー５０が所定温度以上、あるいは所定量以上の煙を検知している場合は、再度シャワー用電磁弁４５を開放し、流量計２１から２リットルの消火水が通過した旨の信号が出力されるまで放水をするというものである。このように第２回目以降に多量の水を放水することにより、想定したよりも大きな火災が発生しそうになった場合でも、より確実に消火することができる。なお、第１回目と第２回目の消火水の放水時間に間隔をもたせたのは、余熱等によるセンサー５０の誤作動を防止するためである。
【００２０】
【発明の効果】
本発明は、トイレットペーパー等の燃焼を感知して、シャワーノズル４６から消火用の水を噴出するので、トイレットペーパー５１等の燃焼の初期の段階で確実に消火できるものである。
【００２１】
そして、消火用の水の噴出は、流量計２１で算出するので、消火用の水の噴出量も、必要最低限とすることが可能であり、かつ、消火による水で汚染される範囲も小さくできるものである。
【００２２】
そして、本発明における流量計２１は、フラッシュ弁装置を使用する処であれば、そのフラッシュ弁装置に使われる流量計２１を利用するように形成するので、コストも安くできるものである。
【図面の簡単な説明】
【図１】本発明の一実施の形態の説明用の正面図
【図２】本発明の一実施の形態の説明用の側面図
【図３】本発明の一実施の形態の説明用のフラッシュ弁装置の断面図
【図４】本発明の一実施の形態の説明用のブロック図
【符号の説明】
１  フラッシュ弁装置
２  出口側円筒状部
３  洗浄水の出口
４  主制御弁
５  圧力室
６  主弁室
７  低圧室
８  第２バイパス通路
９・９１  スプリング
１３  電磁駆動部
１４  パイロット弁
１５  バイパス通路
２１  流量計
２２  回転翼車
２８  入口側円筒状部
２９  洗浄水の入口
３０  逆止弁
４３  シャワー用水入口
４４  シャワー用水管
４５  シャワー用電磁弁
４６  シャワーノズル
５５  半円形結合具
５６  筒状スリーブ
５７  ストレーナ
６０  制御部
【図１】
0004533495.tif 000002
【図２】
0004533495.tif 000003
【図３】
0004533495.tif 000004
【図４】
0004533495.tif 000005